(57)【要約】【課題】筐体の底板部の側より解錠符号列の変更操作が行えるようにする。【解決手段】作動軸４上の各ダイヤル３に各ロックギヤ３１が噛み合うことで解錠符号列が記憶されている。操作機構１１０は作動軸４の軸端を摺動自由に支持する軸受筒１２０をロックギヤ３１に向けて押すための外部操作が可能なものであり、その外部操作によって軸受筒１２０に連なる全てのロックギヤ３１を各ダイヤル３との噛み合いが外れる位置まで移動させるための押圧面と押圧解除のための押圧解除面とを備えたカム軸１１３を含んでいる。カム軸１１３は押圧面と押圧解除面とが軸受筒１２０と対向するように筐体内に軸回動可能に支持されている。カム軸１１３の基端部には、カム軸１１３を底板部の側の外部から軸回動させるための操作部１１１が設けられている。【選択図】図２７
2010059733.tif 000002
【特許請求の範囲】
【請求項１】
作動軸と、作動軸上に回動可能に支持された複数個のダイヤルと、作動軸上の各ダイヤルの位置に対応して回動可能かつ軸方向へ移動可能に配置されたロックギヤが対応するダイヤルとそれぞれ噛み合うことによりそれぞれの噛み合い角度に応じた解錠符号列を記憶する記憶機構と、全てのロックギヤを対応するダイヤルと噛み合う方向へ一斉に押圧するバネと、筐体内に軸方向へ移動可能に支持されるとともに作動軸の軸端を摺動自由に支持する軸受筒と、軸受筒をロックギヤに向けて押すための外部操作が可能でありその外部操作によって軸受筒に連なる全てのロックギヤを前記バネのバネ圧に抗して各ダイヤルとの噛み合いが外れる位置まで作動軸上を移動させることが可能な操作機構とを備えた符号錠装置において、
前記操作機構は、軸受筒を押圧して軸受筒に連なる全てのロックギヤを移動させるための押圧面と押圧面による押圧を解除するための押圧解除面とから成るカム面を先端部の外周面に備えたカム軸を含み、カム軸は押圧面と押圧解除面とが軸受筒の決められた部位と対向するように作動軸と直交させて軸回動可能に支持されており、前記カム軸の基端部には、カム軸を軸回動させることが可能な操作部が設けられるとともに、操作部を筐体の底板部の外側に臨ませて成る符号錠装置。
【請求項２】
前記カム軸は、半周が押圧面、残りの半周が押圧解除面になっている半軸状のカム面を備えている請求項１に記載された符号錠装置。
【請求項３】
前記操作部は、カム軸の基端面に形成された硬貨の係合が可能な凹溝である請求項１に記載された符号錠装置。
【請求項４】
前記カム軸の外周面には、筐体内の円弧状のガイド面上に抜止め状態で摺動可能に支持される抜止めが突設され、カム軸には抜止めをガイド面に押し付けるためのバネが連繋されている請求項１に記載された符号錠装置。
【発明の詳細な説明】
【技術分野】
【０００１】
この発明は、ロッカーやキャビネットなどに組み込まれる複数個のダイヤルをもつ符号錠装置に関し、特にこの発明は、解錠符号列が予め定められた解錠符号列に固定されるタイプの符号錠装置に関する。
【背景技術】
【０００２】
従来、符号錠装置として、施錠操作毎に解錠符号列を設定して記憶させ解錠操作毎に解錠符号列の記憶を解除するタイプのもの（以下、「自在符号タイプ」という。）と、解錠操作があっても解錠符号列の記憶を解除せずに予め定められた解錠符号列の記憶を保持するタイプのもの（以下、「固定符号タイプ」という。）とがある（例えば、特許文献１参照）。ここで、「解錠符号列」とは、符号錠装置を解錠するのに必要な各ダイヤルの符号の並びをいう。例えば、４個のダイヤルをもつ符号錠装置において、各ダイヤルの符号が「０」〜「９」の数字で構成されている場合、解錠符号列は４桁の数字となる。なお、以下の説明において、解錠符号列を構成する各ダイヤルの符号を単に「解錠符号」という場合がある。
【０００３】
【特許文献１】特開平９−３１７２７１号公報
【０００４】
例えば、自在符号タイプの符号錠装置が組み込まれたロッカーでは、ロッカー使用者は、施錠時に各ダイヤルを操作して好みの解錠符号列を定めて整列させた後、撮みを掴んで回動操作する。この撮みの回動操作に掛け金具が連動し、扉に取り付けられた受け金具に係合する。その後、ダイヤルを操作して解錠符号列を崩すことにより施錠状態となる。
解錠に際しては、施錠時に設定した解錠符号列を各ダイヤルを操作することにより整列させた後、撮みや鍵を掴んで前記と反対方向へ回動操作する。この操作に掛け金具が連動して受け金具より外れることにより、ロッカーの扉を開放することが可能となる。
自在符号タイプの符号錠装置は、例えば、不特定人に貸与されるロッカーのように、使用者が頻繁に変わるような用途に適している。
【０００５】
一方、固定符号タイプの符号錠装置が組み込まれたロッカーでは、ロッカー使用者は、施錠時にダイヤルを操作して予め定められた解錠符号列を整列させた後、撮みを掴んで回動操作する。この撮みの回動操作に掛け金具が連動し、扉に取り付けられた受け金具に係合する。その後、各ダイヤルを操作して解錠符号列を崩すことにより施錠状態となる。
解錠に際しては、予め定められた解錠符号列を各ダイヤルを操作して整列させた後、撮みや鍵を掴んで前記と反対方向へ回動操作する。この操作に掛け金具が連動して受け金具より外れることにより、ロッカーの扉を開放することが可能となる。
固定符号タイプの符号錠装置は、使用者が頻繁に変わるような用途には不向きであり、例えば、特定人に長く貸与されるロッカーのように、使用者が殆ど変わらないような用途に適している。
【０００６】
ところで、固定符号タイプの符号錠装置が組み込まれたロッカーであっても、ロッカー使用者が変わることもあり、その場合は、解錠符号列を予め定められた解錠符号列から他の解錠符号列に変更することが必要となる。
【０００７】
従来の固定符号タイプの符号錠装置は、図３２に示すように、作動軸４上に回動可能に支持される複数個のダイヤル３と作動軸４上の各ダイヤル３の位置に対応して軸方向へ移動可能に配置されたロックギヤ３１とがそれぞれ噛み合うことによりそれぞれの噛み合い角度に応じた解錠符号列が記憶されるものである。全てのロックギヤ３１は復帰バネ１０２によって対応するダイヤル３と噛み合う方向へ一斉に押圧されている。作動軸４の軸端は軸受筒１２０により摺動自由に支持されている。軸受筒１２０は筐体１２の端板部１６に軸方向へ移動することが可能なように支持されている。また、軸受筒１２０は圧縮バネ４０によってロックギヤ３１から離れる方向へ押圧されている。軸受筒１２０は筐体１２の端板部１６の外側よりロックギヤ３１に向けて押圧することが可能であり、その外部からの操作によって軸受筒１２０に連なる全てのロックギヤ３１が各ダイヤル３との噛み合いが外れる位置まで移動し、それによって解錠符号列を変更することが可能となる。
【０００８】
筐体１２の端板部１６には軸受筒１２０を外部より押操作するための開口部（図示せず）が設けられ、その開口部に軸受筒１２０の後面が臨ませてある。その軸受筒１２０の後面をドライバーなどの工具を用いて押して各ロックギヤ３１と各ダイヤル３との噛み合いを外し、その状態で各ダイヤル３を回して新たな解錠符号列を設定した後、押圧力を解除する。押圧力の解除により軸受筒１２０は圧縮バネ４０のバネ力により復帰動作し、各ロックギヤ３１は復帰バネ１０２のバネ力を受けて各ダイヤル３とを噛み合い、これにより新たに設定された解錠符号列が記憶される。
【発明の開示】
【発明が解決しようとする課題】
【０００９】
しかし、解錠符号列の変更操作を行うための開口部は筐体１２の端板部１６に設けられているため、符号錠装置がロッカーなどに組み込まれた状態では、開口部がロッカーの構造物によって塞がれることが多く、解錠符号列を変更するのにロッカーから符号錠装置を解体する必要がある。
また、工具により軸受筒１２０の端面を押したとき、押圧状態を保持したままで各ダイヤル３を回す必要があり、解錠符号列の変更操作がやりずらいという問題もある。
【００１０】
この発明は、ロッカーなどに組み込まれた状態であっても筐体の底板部は構造物によって塞がるようなことがないことに着目し、筐体の底板部の側より解錠符号列の変更操作が行えるようにすることにより、ロッカーなどから解体することなく、解錠符号列の変更操作を容易に行える符号錠装置を提供することを目的とする。
【課題を解決するための手段】
【００１１】
この発明による符号錠装置は、作動軸と、作動軸上に回動可能に支持された複数個のダイヤルと、作動軸上の各ダイヤルの位置に対応して回動可能かつ軸方向へ移動可能に配置されたロックギヤが対応するダイヤルとそれぞれ噛み合うことによりそれぞれの噛み合い角度に応じた解錠符号列を記憶する記憶機構と、全てのロックギヤを対応するダイヤルと噛み合う方向へ一斉に押圧するバネと、筐体内に軸方向へ移動可能に支持されるとともに作動軸の軸端を摺動自由に支持する軸受筒と、軸受筒をロックギヤに向けて押すための外部操作が可能でありその外部操作によって軸受筒に連なる全てのロックギヤを前記バネのバネ力に抗して各ダイヤルとの噛み合いが外れる位置まで作動軸上を移動させることが可能な操作機構とを備えたものである。
前記操作機構は、軸受筒を押圧して軸受筒に連なる全てのロックギヤを移動させるための押圧面と押圧面による押圧を解除するための押圧解除面とから成るカム面を先端部の外周面に備えたカム軸を含んでいる。カム軸は押圧面と押圧解除面とが軸受筒の決められた部位と対向するように作動軸と直交させて軸回動可能に支持されている。前記カム軸の基端部には、カム軸を軸回動させることが可能な操作部が設けられるとともに、操作部を筐体の底板部の外側に臨ませている。
【００１２】
上記した符号錠装置において、解錠符号列を変更するには、筐体の底板部の外側よりカム軸の操作部を操作し、カム面の押圧面が軸受筒の決められた部位と対向するように、カム軸を所定の角度だけ軸回動させる。これにより軸受筒が押圧面により押圧されて軸受筒と連なる全てのロックギヤが作動軸上を一斉に移動するので、各ロックギヤと各ダイヤルとの噛み合いが外れ、解錠符号列を変更することが可能となる。
つぎに各ダイヤルを回し、各ダイヤルと各ロックギヤとのそれぞれの噛み合わせ角度を変えることで解錠符号列を変更した後、カム面の押圧解除面が軸受筒の決められた部位と対向するように、操作部を操作してカム軸を上記と反対方向へ所定の角度だけ軸回動させる。押圧面による軸受筒の押圧が解除されると、全てのロックギヤはバネのバネ力を受けて作動軸上を一斉に復帰動作するので、各ロックギヤは対応するダイヤルと噛み合い、変更された解錠符号列が記憶される。
【００１３】
この発明の好ましい実施態様においては、前記カム軸は、半周が押圧面、残りの半周が押圧解除面になっている半軸状のカム面を備えている。この実施態様によると、きわめて簡単な構成のカム面であるから、カム軸の製作が容易である。
【００１４】
前記操作部は、種々の実施態様のものが考えられるが、好ましい実施態様においては、カム軸の基端面に形成された硬貨の係合が可能な凹溝をもって操作部を構成する。この実施態様によると、きわめて簡単な構成の操作部であるから、操作部の製作が容易である。
【００１５】
この発明の好ましい実施態様においては、前記カム軸の外周面には、筐体内の円弧状のガイド面上に抜止め状態で摺動可能に支持される抜止めが突設され、カム軸には抜止めをガイド面に押し付けるためのバネが連繋されている。
この実施態様によると、カム軸が筐体より抜け出ることがないうえ、バネ力によって抜止めがガイド面に押し付けられるので、カム軸が不用意に軸回動することがなく、押圧面による押圧状態や押圧解除面による押圧解除状態が維持される。
【発明の効果】
【００１６】
この発明によると、ロッカーなどへの組込状態であっても、構造物によって塞がることのない筐体の底板部の側より解錠符号列の変更操作を行うことができ、ロッカーなどから符号錠装置を解体することもない。また、カム面の押圧面を軸受筒の決められた部位と対向させることで、押圧面による軸受筒の押圧状態を維持できるので、解錠符号列の変更操作が容易に行える。
【発明を実施するための最良の形態】
【００１７】
図１〜図３は、この発明の一実施例である符号錠装置の外観を示している。この符号錠装置は、例えば、貸ロッカーなどの扉に取り付けられるもので、施錠および解錠の各操作に対して、板状の掛け金具１が９０度の角度範囲で正逆各方向へ回動し、ロッカー本体に取り付けられた受け金具１０に係脱する。
【００１８】
なお、以下の説明において、掛け金具１が受け金具１０に係合した状態を「閉状態」、この「閉状態」がロック保持されている状態を「施錠状態」、ロック解除された状態を「解錠状態」、掛け金具１が受け金具１０より外れた状態を「開状態」という。また「開状態」から「施錠状態」へ至る人手による操作を「施錠操作」、「閉状態」から「解錠状態」を経て「開状態」へ至る人手による操作を「解錠操作」という。
【００１９】
図示例の符号錠装置は、解錠操作があっても解錠符号列の記憶を保持する固定符号タイプの符号錠装置であるが、この発明はこれに限らず、固定符号タイプと自在符号タイプとを切り換えることができる両用タイプの符号錠装置にも実施することができる。
また、図示例の符号錠装置は、解錠符号列が整列した状態にあれば施錠および解錠の各操作が可能となるが、解錠符号列の整列に加えて、適正な鍵の挿入により施錠および解錠の各操作が可能となるように構成することもできる。
【００２０】
図１において、１１は筐体１２の上面開口を塞ぐ前面プレートであり、板面の一端部寄りに円形の開口部１３が、中央部から他端部にかけて４個の窓孔１４が、それぞれ設けられている。開口部１３の位置には撮み２０による施錠および解錠の各操作に応動するアクチュエータ２が、４個の窓孔１４の位置にはダイヤル機構が、それぞれ組み込まれている。撮み２０は開口部１３より前面プレート１１上へ突出している。各窓孔１４より前面プレート１１上に４個のダイヤル３のダイヤル操作部３２が突出している。ダイヤル操作部３２には「０」〜「９」の１０個の符号３３が表されている。
【００２１】
筐体１２の底板部１８には、図３に示すように、後述する軸支孔１３０が開口し、その開口部１９に解錠符号列を変更するときに操作される操作機構１１０の操作部１１１を臨ませている。操作部１１１は、硬貨の外周縁を係合することが可能な凹溝１１２によって構成されており、凹溝１１２に硬貨の外周縁を係入させて９０度だけ回動操作することで解錠符号列の変更が可能となる。操作部１１１を構成する凹溝１１２は後述するカム軸１１３の基端面に形成されている。カム軸１１３は軸支孔１３０内に回動自由に支持されている。
なお、操作部１１１には種々の態様のものが考えられ、例えば、図４に示すように、円弧状の溝１３１に沿って撮み１３０を９０度だけ摺動させることで解錠符号列の変更が可能となるように構成することもできる。
【００２２】
図５および図６には、筐体１２内の構造が示してある。なお、同図の符号錠装置の状態は「開状態」であり、図５は前面プレート１１の側より見た水平方向に沿う断面図、図６は垂直方向に沿う断面図である。
【００２３】
図示例の符号錠装置は、解錠符号列が予め定められた解錠符号列に固定される固定符号タイプのものであり、その解錠符号列を簡単な操作で変更することが可能となっている。また、この実施例では、施錠時および解錠時に揃えられた解錠符号列が施錠および解錠の各操作に伴って強制的に崩され、「０」が４個並んだ状態（この符号列を「初期符号列」という。）へ移行するように構成されている。上記した解錠符号列の記憶保持、解錠符号列の変更、初期符号列の復帰などを実現するために、アクチュエータ２，作動軸４，往復動機構５，回動機構６，４個のダイヤル３，解錠符号列記憶機構７，ロック機構８，ダイヤル強制駆動機構９、操作機構１１０などの各構成が設けられている。
【００２４】
（１）アクチュエータ２の構成
アクチュエータ２は、撮み２０による施錠および解錠の各操作に応動するものである。撮み２０を回動操作すると、アクチュエータ２を構成する内筒２１と外筒２２とが一体に回動する。内筒２１には取付軸２３を介して掛け金具１が取り付けてあり、内筒２１と一体に掛け金具１が正逆いずれかの方向へ回動する。外筒２２の外周には、後述する回動機構６を構成する第１のかさ歯車６０が装着されている。
【００２５】
（２）作動軸４の構成
作動軸４は、アクチュエータ２と直交する方向に水平に設けられている。作動軸４の先端部４１は支持板１５の軸受孔（図示せず）に、基端部は軸受筒１２０に、それぞれ往復動可能かつ正逆回動可能に支持されている。軸受筒１２０は筐体１２の端板部１６に軸方向へ移動することが可能なように支持されている。作動軸４の基端部にはフランジ部４９が設けられ、このフランジ部４９に圧縮バネ４０を連繋して、そのバネ圧によって作動軸４を常時アクチュエータ２の方向へ押圧するとともに、軸受筒１２０を筐体１２の端板部１６の方向へ押圧している。端板部１６には開口部１７が形成され、開口部１７に軸受筒１２０の後面を臨ませている。
【００２６】
作動軸４の先端部４１には、後述する回動機構６を構成する第２のかさ歯車６１が摺動自由に支持されている。作動軸４の先端部４１の先端面は凸曲面になっている。この作動軸４の先端部４１は第２のかさ歯車６１よりアクチュエータ２の側へ突出したり引っ込んだりする。作動軸４の軸周面には、一定間隔毎に４個の凸子４２ａがそれぞれ同じ角度位置に一体突設されている。なお、この実施例では、確実なロック状態を得るために、他の同じ角度位置にも４個の凸子４２ｂを一体突設しているが、凸子列は必ずしも２列である必要はない。これらの凸子４２ａ，４２ｂは後述するロック機構８とダイヤル強制駆動機構９とを構成する。
【００２７】
（３）回動機構６の構成
回動機構６は、アクチュエータ２の外筒２２の外周に装着された第１のかさ歯車６０と、作動軸４の先端部４１に支持された第２のかさ歯車６１とで構成されている。第１、第２の各かさ歯車６０，６１が噛み合うことによりアクチュエータ２の回動が作動軸４へ伝達されて作動軸４が回動する。作動軸４は前記した「開状態」から「閉状態」へ、また「閉状態」から「開状態」へ、それぞれ移行する間に正逆各方向へ１回転するように各かさ歯車６０，６１の歯のピッチなどが決められている。
【００２８】
アクチュエータ２の回動に対して、第２のかさ歯車６１が回動を開始するタイミングを遅らせるために、アクチュエータ２が所定の角度（この実施例では２０度）回動した時点で第１のかさ歯車６０が外筒２２と一体回動を開始し、これにより第２のかさ歯車６１の回動を開始させている。この遅延動作を実現するために、図２４（１）に示すように、アクチュエータ２の外筒２２の外周に所定の角度αにわたる係合突起２５を形成し、一方、図２４（２）に示すように、第１のかさ歯車６０の下面に前記角度αより大きな角度βにわたる係合溝６２を形成し、係合突起２５に係合溝６２が係合するようにして外筒２２の外周に第１のかさ歯車６０を装着している。このように構成することで、第１のかさ歯車６０は、アクチュエータ２が所定の角度（β―α）だけ空転した後に回動を開始する。
この作動遅延は、まず、作動軸４を回動させずに往復動作させ、引き続き、作動軸４を回動動作させるためのもので、後記するロック機構８やダイヤル強制駆動機構９の動作と関わっている。
【００２９】
（４）往復動機構５の構成
往復動機構５は、アクチュエータ２の作動に応動して作動軸４を所定のタイミングで所定の変位量だけ往復移行させるためのもので、外筒２２の外周面に所定の角度だけ隔てた位置に形成された第１、第２の各凹部５０ａ，５０ｂと、外筒２２の内部に凹部５０ａ，５０ｂ間の角度より狭い角度隔てて設けられた第１、第２の各押爪５１ａ，５１ｂと、各押爪５１ａ，５１ｂを外方へ付勢するバネ（図示せず）とが上記した往復動作に関わっている。凹部５０ａ，５０ｂと押爪５１ａ，５１ｂとは同じ高さ位置に配置されている。
【００３０】
図５および図６に示す「開状態」のとき、作動軸４は圧縮バネ４０のバネ力により押され、作動軸４の先端部４１が外筒２２の第１の凹部５０ａへ嵌入している。この嵌入状態のとき、作動軸４はアクチュエータ２の側へ最も変位している。以下、この位置を「第１変位位置」という。
【００３１】
図７および図８は、アクチュエータ２が「開状態」から「閉状態」へ約１０度回動したときの状態を示している。この状態では作動軸４の先端部４１が第１の凹部５０ａより脱出するとともに、第１の押爪５１ａの押圧面５２によって圧縮バネ４０のばね圧に抗して押圧されている。この第１の押爪５１ａによる押圧により作動軸４はアクチュエータ２と反対の方向へ最も変位している。以下、この位置を「第２変位位置」という。
【００３２】
図９および図１０は、アクチュエータ２が「開状態」から「閉状態」へ約２０度回動したときの状態を示している。この状態では第１の押爪５１ａは圧縮ばね４０のばね圧を受けた作動軸４により押し返されて回動し、作動軸４の先端部４１は外筒２２の外周面に乗り上がって支持されている。この状態の作動軸４は「第１変位位置」と「第２変位位置」との中間で定位する。以下、この位置を「第３変位位置」という。
【００３３】
図１１および図１２は、「開状態」から「閉状態」へ約１００度回動したときの状態を示している。この状態では第２の押爪５１ｂが作動軸４の先端部４１の手前位置まで達している。第２の押爪５１ｂは押圧面５２が作動軸４の先端部４１に向いていないので、作動軸４の先端部４１に押圧力は作用しない。
【００３４】
図１３および図１４は、「開状態」から「閉状態」へ約１４０度回動したときの状態、すなわち、「閉状態」を示している。この状態では、作動軸４は圧縮バネ４０のバネ力を受けてその先端部４１が外筒２２の第２の凹部５０ｂへ嵌入している。この嵌入状態のとき、作動軸４はアクチュエータ２の側へ最も変位した「第１変位位置」になっている。
【００３５】
（５）ダイヤル３の構成
４個の各ダイヤル３は、作動軸４上の各仕切板１９の内側位置に回動可能に支持されている。ダイヤル本体３０の外周面には、図１５〜図１７に示すように、等角度位置毎に「０」〜「９」の符号３３が表され、ダイヤル操作部３２が形成されている。ダイヤル本体３０にはボス部３４が突設され、ボス部３４の外周には符号数に相当する数の谷部３５が形成されている。各谷部３５に図示しないばね板部材を順次係合させ、ダイヤル３を順送りする。
【００３６】
（６）解錠符号列記憶機構７の構成
解錠符号列記憶機構７は、あらかじめ定められた解錠符号列を固定的に設定するための機構であって、各ダイヤル３のダイヤル本体３０とロックギヤ３１との間に形成される。解錠符号列が前記の各窓孔１４に整列したときに符号錠が「解錠状態」に、また不整列の状態になったときに「施錠状態」に、それぞれ設定される。
【００３７】
図示例の解錠符号列記憶機構７は、図１５および図１７に示すように、各ダイヤル３のダイヤル本体３０の内周面に形成された溝列７０と、図１８〜図２０に示すように、ロックギヤ３１の一端部の外周面に形成された突子列７１とで構成されている。ダイヤル本体３０の溝列７０は、符号数に一致する数の嵌合溝７４を等角度間隔で一周配置して成る。一方、ロックギヤ３１の突子列７１は、いずれの嵌合溝７４とも嵌合可能な嵌合突子７５を等角度間隔で符号数だけ一周配置して成る。
突子列７１と溝列７０とは噛み合い、その噛み合い角度位置、すなわちロックギヤ３１に対するダイヤル本体３０の嵌合角度位置は符号数に一致する数だけ存在する。従って、両者の嵌合角度位置に応じて解錠符号を１０とおり記憶することが可能である。
【００３８】
（７）ロック機構８の構成
ロック機構８は、各窓孔１４に現れる各ダイヤル３の符号３３がすべて解錠符号であるとき（解錠符号列が揃ったとき）、アクチュエータ２の作動を許容し、いずれかのダイヤル３の符号３３が解錠符号でないとき（解錠符号列が崩れているとき）、アクチュエータ２の作動を規制するものである。この実施例のロック機構８は、作動軸４の軸周面に突設された１列につき４個の各凸子４２ａ，４２ｂと、各ロックギヤ３１の内周面の長さ方向に設けられた各凸子４２ａ，４２ｂが摺動して出入りする凸子摺動溝８１ａ，８１ｂ（図１８に示す）とで構成されている。
【００３９】
作動軸４が前記した「第１変位位置」にあるとき、各凸子４２ａ，４２ｂは各凸子摺動溝８１ａ，８１ｂより脱出し、作動軸４に対して各ダイヤル３が独立して回動することが可能な状態にある。この状態において、もし、凸子４２ａ，４２ｂと凸子摺動溝８１ａ，８１ｂとの位置がずれていれば、作動軸４がアクチュエータ２と反対の方向へ移動するのが阻止される。もし、凸子４２ａ，４２ｂと凸子摺動溝８１ａ，８１ｂとの位置が一致していれば、作動軸４がアクチュエータ２と反対の方向へ移動するのが許容される。
【００４０】
（８）ダイヤル強制駆動機構９の構成
ダイヤル強制駆動機構９は、解錠符号列を整列状態に設定した後、「開状態」から「閉状態」へ移行させるとき、整列状態の解錠符号列を崩して各ダイヤル３を決められた角度位置まで強制回動させる。また、解錠符号列を整列させた後、「閉状態」から「開状態」へ移行させるとき、同様に、整列状態の解錠符号列を崩して各ダイヤル３を決められた角度位置まで強制回動させる。ここで、決められた角度位置とは、各ダイヤル３の窓孔１４にそれぞれ「０」が出現する角度位置であるが、これに限らず、他の決められた符号が各窓孔１４に出現するように構成することもできる。
【００４１】
この実施例のダイヤル強制駆動機構９は、作動軸４上に各ダイヤル３に対応させて設けられたダイヤル駆動板９０と、各ダイヤル駆動板９０を対応する各ダイヤル３に近づけたり遠ざけたりして変位させる変位機構１０１とで構成されている。各ダイヤル駆動板９０は、図２１〜図２３に示すように、内周面に作動軸４と一体に回動することが可能なように作動軸４の各凸子４２ａ，４２ｂが係合する切欠溝９１ａ，９１ｂが形成されている。各切欠溝９１ａ，９１ｂは、凸子４２ａ，４２ｂと係合した状態のとき、３６度（３６０度／１０＝３６度）の遊びが設定してあり、これにより作動軸４が３６０度回動するのに対して、ダイヤル駆動板９０が３２４度（３６０度−３６度＝３２４度）だけ回動する。すなわち、「０」が４個並んだ初期符号列の整列状態へ移行させるために、各ダイヤル３を９個の符号分だけ強制回動させている。
【００４２】
各ダイヤル駆動板９０の外周と各ダイヤル駆動板９０に対応するダイヤル３の内周との間には、各ダイヤル駆動板９０が各ダイヤル３の方向へ変位した状態（近づいた状態）のとき、ダイヤル駆動板９０が決められた角度（この実施例では３２４度）だけ回動する間に互いに引っ掛かる部分を設けて、施錠および解錠の各操作時に各ダイヤル３を解錠符号列の整列状態から他の所定の符号列の整列状態へ移行させるようにしている。
この実施例では、各ダイヤル駆動板９０の外周に突片９２が形成され、各ダイヤル３のダイヤル本体３０の内周に前記凸片９２が摺動する摺動溝９３が形成されるとともに、摺動溝９３内の所定の角度位置に前記突片９２が引っ掛かる凸部９４が形成されている（図１５参照）。
【００４３】
前記変位機構１０１は、作動軸４が「第１変位位置」にあるとき、作動軸４の基端部に設けたフランジ部４９により一端のダイヤル３のロックギヤ３１を押し、これと連なった他のロックギヤ３１と各ダイヤル駆動板９０とをアクチュエータ２の側へ変位させることにより各ダイヤル駆動板９０を対応するダイヤル３から遠ざけ、つぎに、作動軸４が「第３変位位置」に至ったとき、作動軸４の先端側に配備した復帰バネ１０２のバネ圧により各ダイヤル駆動板９０と各ロックギヤ３１とを復帰動作させてアクチュエータ２と反対方向へ変位させることにより各ダイヤル駆動板９０を対応するダイヤル３に近づけるものである。
なお、各ロックギヤ３１は変位しても、その変位量はわずかであるから、ダイヤル本体３０との噛み合いが維持され、解錠符号の記憶が保持されている。
【００４４】
作動軸４は、前記した「開状態」と「閉状態」との間を移行する間にちょうど１回転するもので、作動軸４の凸子４２ａ，４２ｂは「開状態」および「閉状態」のとき同じ角度位置にある。
図２５（１）〜（４）は、作動軸４とダイヤル駆動板９０とダイヤル３との関係を示している。この実施例では、図２５（１）の「開状態」のときと図２５（４）の「閉状態」のときとは、一方の凸子４２ａが所定の角度位置θ、すなわち、前面プレート１４に対して９０度の角度位置に位置している。
【００４５】
図２５（１）の「開状態」のとき、ダイヤル駆動板９０の突片９２は前記角度位置θにあり、ダイヤル３の凸部９４は窓孔１４に出現する符号に応じた角度位置にある。この場合、ダイヤル駆動板９０はダイヤル３から遠ざかって係わり合っていないので、各ダイヤル３を回動操作して解錠符号列を揃えることができる。
【００４６】
作動軸４が回動すると、当初は作動軸４の凸子４２ａ，４２ｂはダイヤル駆動板９０の係合溝９１ａ，９１ｂ内を摺動するので、１符号分だけ空転し、ダイヤル駆動板９０は追随しない（図２５（２）参照）。このとき、各ダイヤル駆動板９０は各ダイヤル３に近づいており、突片９２は摺動溝９３内に位置する。
【００４７】
作動軸４とダイヤル駆動板９０とが適当な角度だけ一体回動すると、ダイヤル駆動板９０の突片９２がダイヤル３の凸部９４を引っ掛け（図２５（３）参照）、それ以後はダイヤル３を強制回動させる。
作動軸４が１回転すると（図２５（４）参照）、ダイヤル３は窓孔１４に出現するダイヤル操作部３２の符号３３が「０」となる位置で回動が停止する。
【００４８】
（９）操作機構１１０の構成
操作機構１１０は、各ダイヤル３と各ロックギヤ３１との噛み合い角度位置を変えて解錠符号列を変更するためのもので、図２６，２７に示すように、軸受筒１２０をロックギヤ３１に向けて押すための外部操作が可能でありかつその外部操作によって軸受筒１２０に連なる全てのロックギヤ３１を各ダイヤル３との噛み合いが外れる位置まで移動させることが可能な構成としてカム軸１１３を含むものである。
【００４９】
カム軸１１３は、図２８に示すように、軸部１１３ａと大きな径の頭部１１３ｂとから成り、軸部１１３ａの先端部の外周面に半軸状のカム面１１６が形成されている。カム面１１６は、半周部分が凸曲面状の押圧面１１４、残りの半周部分が直径線に沿って立ち上がる平面状の押圧解除面１１５となっている。押圧面１１４は軸受筒１２０の凸壁部１２２（詳細は後述する）に当たって押圧する部分であり、この押圧によって軸受筒１２０に連なる全てのロックギヤ３１が一斉に作動軸４上を移動し、これにより全てのロックギヤ３１を各ダイヤル３との噛み合いが外れる。押圧解除面１１５は軸受筒１２０に対する押圧面１１４による押圧を解除するための部分であり、この押圧解除によって軸受筒１２０および軸受筒１２０に連なる全てのロックギヤ３１が元の位置に復帰し、全てのロックギヤ３１が各ダイヤル３に噛み合う。
【００５０】
軸受筒１２０は、図２９（１）の正面図および図２９（２）の底面図に示すように、後面に嵌合凸部１２１を有し、下面の前端部には凸壁部１２２が一体に設けられている。嵌合凸部１２１は筐体１２の端板部１６に形成された開口部１７に嵌まっている。凸壁部１２２の内壁面１２３は作動軸４に対して直角をなし、その内壁面１２３にカム軸１１３の押圧面１１４や押圧解除面１１５が対向する。凸壁部１２２の内壁面１２３に押圧面１１４が対向するとき、押圧面１１４は凸壁部１２２に当たって軸受筒１２０に押圧力を作用させる。
軸受筒１２０は、作動軸４の軸端が挿入される軸受孔１２４を有し、軸受孔１２４には圧縮バネ４０の端部を支持する段部１２５が形成されている。
【００５１】
カム軸１１３は、押圧面１１４や押圧解除面１１５が軸受筒１２０の凸壁部１２２の内壁面１２３と対向位置するように筐体１２に設けられた軸支孔１３０に軸回動可能に支持されている。軸支孔１３０は作動軸４と直交し、筐体１２の底板部１８に開口している。軸支孔１３０の内周面には、図３０および図３１に示すように、内方へ張り出すリング状の張出部１３１が形成され、張出部１３０の上面は、９０度の角度範囲にわたる円弧状のガイド面１３２となっている。
【００５２】
カム軸１１３の軸部１１３ａの先端部の外周面には、円弧状のガイド面１３２上に抜止め状態で摺動自由に支持される抜止め１１７が突設されている。この抜止め１１７の先端部がガイド面１３２に突き当たることで、カム軸１１３の筐体１２からの抜けが防止される。
なお、図中、１３３は抜止め１１７の尖った先端部が係脱可能な係合溝であり、ガイド面１３２の一端に設けられている。抜止め１１７は、カム軸１１３の押圧解除面１１５が軸受筒１２０の凸壁部１２２の内壁面１２３に対向位置するとき、その先端部が係合溝１３３に係合する。
また、１３４はカム軸１１３を軸支孔１３０へ挿入して筐体１２に組み込むときに抜止め１１７を通過させるための貫通溝である、
【００５３】
軸支孔１３０内のカム軸１１３の外周にはカム軸１１３の抜止め１１７をガイド面１３２に押し付けるためのバネ１１８が収納配備されている。バネ１１８は、圧縮された状態で、一端が軸支孔１３０内の張出部１３１の下面に、他端がカム軸１１３の頭部１１３ｂに、それぞれ支持されており、これによりバネ力をカム軸１１３に作用させている。
この実施例によると、カム軸１１３の抜止め１１７は先端部が尖っており、バネ１１８のバネ力によって抜止め１１７の先端部がガイド面１３２に押し付けられるので、カム軸１１３が不用意に軸回動することがなく、カム軸１１３の押圧面１１４が軸受筒１２０の凸壁部１２２の内壁面１２３を押圧した状態が保持される。
【００５４】
カム軸１１３の基端部の頭部１１３ｂは、カム軸１１３を外部から軸回動させることが可能な操作部１１１を構成している。この実施例の操作部１１１は、カム軸１１３の基端面、すなわち、頭部１１３ｂの上面に硬貨を係合することが可能な凹溝１１２を形成することにより構成されている。この凹溝１１２に硬貨を係合させた後、カム軸１１３を若干押し込むようにして抜止め１１７を係合溝１３３より脱出させるとともに、ガイド面１３２上に浮かせ、その状態でカム軸１１３を９０度回動させることによりカム軸１１３の押圧面１１４を軸受筒１２０の凸壁部１２２の内壁面１２３に対向させて軸受筒１２０を押圧する。同様に、その押圧状態のときに、凹溝１１２に硬貨を係合させた後、カム軸１１３を若干押し込むようにして抜止め１１７をガイド面１３２上に浮かせ、その状態でカム軸１１３を前記と逆方向へ９０度回動させることにより押圧解除面１１５が凸壁部１２２の内壁面１２３に対向し、カム軸１１３の押圧面１１４による軸受筒１２０の凸壁部１２２への押圧が解除される。
【００５５】
つぎに、上記した構成の符号錠装置について、施錠操作時および解錠操作時の一連の動作を説明する。
まず、施錠操作時の動作について説明すると、符号錠装置が図５，６に示された「開状態」にあるとき、作動軸４は、先端部４１が外筒２２の第１の凹部５０ａに嵌まってアクチュエータ２の側へ最も変位した状態にある（第１変位位置）。この「第１変位位置」では、各ダイヤル３は作動軸４と係わりが切れた回動可能な状態、すなわち、作動軸４の凸子４２ａ，４２ｂが各ロックギヤ３１の凸子摺動溝８１ａ，８１ｂより脱出した状態にある。また、各ダイヤル３は各ダイヤル駆動板９０と係わりが切れた状態にあるので、各ダイヤル３を回して解錠符号列を揃えることが可能である。
【００５６】
いま、各ダイヤル３のダイヤル操作部３２を回動操作して、決められた解錠符号列を整列させると、作動軸４の凸子４２ａ，４２ｂの位置と各ロックギヤ３１の凸子摺動溝８１ａ，８１ｂの位置とが揃い、符号錠装置は施錠操作が可能な状態に設定される。
この「開状態」のとき、ダイヤル駆動板９０の突片９２は所定の角度位置θにあり、ダイヤル３の凸部９４は窓孔１４に出現する符号に応じた角度位置にある（図２５（１）参照）。
【００５７】
つぎに、撮み２０を回動操作すると、第１の押爪５１ａの押圧面５２が作動軸４の先端部４１をアクチュエータ２と反対方向へ押圧する結果、作動軸４は図７，８に示す「第２変位位置」へ移行する。この「第２変位位置」では、作動軸４の各凸子４２ａ，４２ｂは各ロックギヤ３１の凸子摺動溝８１ａ，８１ｂ内へ進入している。
さらに、アクチュエータ２が回動すると、作動軸４の先端部４１は第１の押爪５１ａの押圧面５２による押圧より解放され、作動軸４の先端部４１が第１の押爪５１ａを押し返して外筒２２の外面に乗り上がり、作動軸４は図９，１０に示す「第３変位位置」へ移行する。
【００５８】
この「第３変位位置」では、作動軸４の凸子４２ａ，４２ｂは各ロックギヤ３１の凸子摺動溝８１ａ，８１ｂより脱出した状態にあり、作動軸４と各ダイヤル３との係わりが切れている。一方、各ダイヤル駆動板９０は各ダイヤル３に近づいて係わっている。
さらに、回動機構６の第１のかさ歯車６０は、これ以後は外筒２２と一体回動して第２のかさ歯車６１の回動を開始させるので、アクチュエータ２の回動が作動軸４に伝達されて作動軸４が回動する。
【００５９】
作動軸４が回動すると、当初は作動軸４の凸子４２ａ，４２ｂはダイヤル駆動板９０の内周の係合溝９１ａ，９１ｂを摺動するので、作動軸４はダイヤル駆動板９０に対して１符号分だけ空転し、各ダイヤル駆動板９０は追随しないが（図２５（２）参照）、それ以後は、各ダイヤル駆動板９０は作動軸４と一体回動する。その結果、各ダイヤル駆動板９０の突片９２は、対応するダイヤル３について、解錠符号に応じた設定角度位置でダイヤル３の凸部９４を引っ掛け（図２５（３）参照）、ダイヤル３を強制回動させる。これにより、各ロックギヤ３１の凸子摺動溝８１ａ，８１ｂは凸子４２ａ，４２ｂに対して位置ずれする。
【００６０】
作動軸４が一回転してダイヤル駆動板９０の突片８２が前記角度位置θより１符号分だけ手前位置に至ったとき（図２５（４）参照）、各窓孔１４には各ダイヤル３の符号「０」が出現し、図１３および図１４に示された「閉状態」となる。このとき、作動軸４は先端部４１が外筒２２の第２の凹部５０ｂに嵌り込み、アクチュエータ２の方へ変位して「第１変位位置」になっており、作動軸４の各凸子４２ａ，４２ｂとロックギヤ３１の凸子摺動溝８１ａ，８１ｂとが位置ずれし、ロック状態が形成されている。
【００６１】
つぎに、解錠操作時の動作について説明すると、符号錠装置が図１３および図１４に示された「閉状態」にあるとき、作動軸４は、先端部４１が外筒２２の第２の凹部５０ｂに嵌まってアクチュエータ２の側へ最も変位した状態にある（第１変位位置）。この「第１変位位置」では、各ダイヤル３は作動軸４と係わりが切れた回動可能な状態、すなわち、作動軸４の凸子４２ａ，４２ｂが各ロックギヤ３１の凸子摺動溝８１ａ，８１ｂより脱出した状態にある。また、各ダイヤル３は各ダイヤル駆動板９０と係わりが切れた状態にあるので、各ダイヤル３を回して解錠符号列を揃えることが可能である。
【００６２】
いま、各ダイヤル３のダイヤル操作面３２を回動操作して、解錠符号列を整列させると、作動軸４の凸子４２ａ，４２ｂの位置と各ダイヤル３の凸子摺動溝８１ａ，８１ｂの位置とが揃い、符号錠装置は解錠操作が可能な状態に設定される。
【００６３】
つぎに、撮み２０を回動操作すると、第２の押爪５１ｂの押圧面５２が作動軸４の先端部４１をアクチュエータ２と反対方向へ押圧する結果、作動軸４は「第２変位位置」へ移行する。
さらに、アクチュエータ２が回動すると、作動軸４の先端部４１は第２の押爪５１ｂの押圧面５２による押圧より解放され、作動軸４の先端部４１が第２の押爪５１ｂを押し返して外筒２２の外面に乗り上がり、作動軸４は「第３変位位置」へ移行する。
【００６４】
この「第３変位位置」では、作動軸４の凸子４２ａ，４２ｂは各ロックギヤ３１の凸子摺動溝８１ａ，８１ｂより脱出した状態にある。また、各ダイヤル駆動板９０は各ダイヤル３に近づいて係わっている。
さらに、回動機構６の第１のかさ歯車６０は、これ以後は外筒２２と一体回動して第２のかさ歯車６１の回動を開始させるので、アクチュエータ２の回動が作動軸４に伝達されて作動軸４が回動する。
【００６５】
作動軸４が回動すると、当初は作動軸４の凸子４２ａ，４２ｂはダイヤル駆動板９０の係合溝９１ａ，９１ｂを摺動するので、作動軸４はダイヤル駆動板９０に対して１符号分だけ空転し、各ダイヤル駆動板９０は追随しないが、それ以後は、各ダイヤル駆動板９０は作動軸４と一体回動し、各ダイヤル駆動板９０の突片９２は、対応するダイヤル３について、解錠符号に応じた設定角度位置でダイヤル３の凸部９４を引っ掛け、ダイヤル３を強制回動させる。これにより各ロックギヤ３１の凸子摺動溝８１ａ，８１ｂは対応する凸子４２ａ，４２ｂに対して位置ずれする。
【００６６】
作動軸４が一回転してダイヤル駆動板９０の突片９２が所定の角度位置θに至ったとき（図２５（１）参照）、各窓孔１４には各ダイヤル３の符号「０」が出現し、図５および図６に示された「開状態」となる。このとき、作動軸４は先端部４１が外筒２２の第１の凹部５０ａに嵌り込み、アクチュエータ２の方へ変位して「第１変位位置」になっており、作動軸４の各凸子４２ａ，４２ｂとロックギヤ３１の凸子摺動溝８１ａ，８１ｂとが位置ずれし、ロック状態と同じ状態となっている。
【００６７】
つぎに、上記した符号錠装置において、解錠符号列を変更するときの一連の操作を説明する。
解錠符号列を変更するには、まず、筐体１２の底板部１８の外側よりカム軸１１３の頭部１１３ｂの凹溝１１２に硬貨を係合させた後、カム軸１１３を若干押し込むようにしてカム軸１１３の抜止め１１７をガイド面１３２の一端の係合溝１３３より脱出させてガイド面１３２上に浮かせ、その状態で硬貨を捻るように操作してカム軸１１３を９０度回動させる。これによりカム面１１６の押圧面１１４が軸受筒１２０の凸壁部１２２の内壁面１２３と対向し、このとき内壁面１２３が押圧面１１４により押圧され、軸受筒１２０および軸受筒１２０と連なる全てのロックギヤ３１が作動軸４上を一斉に移動する。この移動によって各ロックギヤ３１と各ダイヤル３との噛み合いが外れ、解錠符号列を変更することが可能となる。
【００６８】
カム軸１１３の押込力を解除すると、バネ１１８のバネ力によってカム軸１１３の抜止め１１７の先端部がガイド面１３２に押し付けられるので、カム軸１１３が不用意に軸回動することがなく、カム軸１１３の押圧面１１４が軸受筒１２０の凸壁部１２２の内壁面１２３を押圧した状態を維持する。この状態で各ダイヤル３を回し、各ダイヤル３と各ロックギヤ３１とのそれぞれの噛み合わせ角度を変えることにより解錠符号列を新たなものに変更する。
【００６９】
つぎに、カム軸１１３を若干押し込むようにしてカム軸１１３の抜止め１１７をガイド面１３２より浮かせ、その状態で凹溝１１２に係合した硬貨を捻るように操作してカム軸１１３を前記とは反対方向へ９０度軸回動させる。これによりカム面１１６の押圧解除面１１５が凸壁部１２２の内壁面１２３と対向し、このときカム軸１１３の押圧面１１４による軸受筒１２０の凸壁部１２２への押圧が解除される。押圧面１１４による押圧が解除されると、軸受筒１２０は圧縮バネ４０のバネ力を受けて復帰動作し、全てのロックギヤ３１は復帰バネ１０２のバネ力を受けて作動軸４上を一斉に復帰動作する。これにより各ロックギヤ３１は対応するダイヤル３と噛み合い、変更された解錠符号列が記憶される。
【図面の簡単な説明】
【００７０】
【図１】この発明の符号錠装置の外観を示す平面図である。
【図２】この発明の符号錠装置の外観を示す側面図である。
【図３】この発明の符号錠装置の外観を示す底面図である。
【図４】操作機構の他の実施例を示す符号錠装置の底面図である。
【図５】符号錠装置の内部構造を示す開状態時の水平方向に沿う断面図である。
【図６】符号錠装置の内部構造を示す開状態時の垂直方向に沿う断面図である。
【図７】符号錠装置の内部構造を示す施錠操作時の水平方向に沿う断面図である。
【図８】符号錠装置の内部構造を示す施錠操作時の垂直方向に沿う断面図である。
【図９】符号錠装置の内部構造を示す施錠操作時の水平方向に沿う断面図である。
【図１０】符号錠装置の内部構造を示す施錠操作時の垂直方向に沿う断面図である。
【図１１】符号錠装置の内部構造を示す施錠操作時の水平方向に沿う断面図である。
【図１２】符号錠装置の内部構造を示す施錠操作時の垂直方向に沿う断面図である。
【図１３】符号錠装置の内部構造を示す閉状態時の水平方向に沿う断面図である。
【図１４】符号錠装置の内部構造を示す閉状態時の垂直方向に沿う断面図である。
【図１５】ダイヤル本体の側面図である。
【図１６】ダイヤル本体の正面図である。
【図１７】図１５のＡ−Ａ線に沿う断面図である。
【図１８】ロックギヤの側面図である。
【図１９】ロックギヤの正面図である。
【図２０】図１８のＢ−Ｂ線に沿う断面図である。
【図２１】ダイヤル駆動板の側面図である。
【図２２】ダイヤル駆動板の正面図である。
【図２３】図２１のＣ−Ｃ線に沿う断面図である。
【図２４】外筒の係合突起とかさ歯車の係合溝との関わりを示すアクチュエータおよびかさ歯車の底面図である。
【図２５】ダイヤル強制駆動機構の動作を示す作動軸、ダイヤル駆動板、およびダイヤルの側面図である。
【図２６】操作機構の構成を示す符号錠装置の水平方向に沿う断面図である。
【図２７】操作機構の構成を示す符号錠装置の垂直方向に沿う断面図である。
【図２８】カム軸の構成を示す正面図である。
【図２９】軸受筒の構成を示す正面図および底面図である。
【図３０】軸支孔の構成を示す符号錠装置の底面図である。
【図３１】カム軸の抜止めがガイド面上を摺動する状態を示す斜視図である。
【図３２】従来の符号錠装置の内部構造を示す水平方向に沿う断面図である。
【符号の説明】
【００７１】
３    ダイヤル
４    作動軸
７    解錠符号列記憶機構
１２  筐体
１６  端板部
３１  ロックギヤ
１０２  復帰バネ
１１０  操作機構
１１１  操作部
１１２  凹溝
１１３  カム軸
１１４  押圧面
１１５  押圧解除面
１１６  カム面
１１７  抜止め
１１８  バネ
１２０  軸受筒
１３２  ガイド面
【図１】
2010059733.tif 000003
【図２】
2010059733.tif 000004
【図３】
2010059733.tif 000005
【図４】
2010059733.tif 000006
【図５】
2010059733.tif 000007
【図６】
2010059733.tif 000008
【図７】
2010059733.tif 000009
【図８】
2010059733.tif 000010
【図９】
2010059733.tif 000011
【図１０】
2010059733.tif 000012
【図１１】
2010059733.tif 000013
【図１２】
2010059733.tif 000014
【図１３】
2010059733.tif 000015
【図１４】
2010059733.tif 000016
【図１５】
2010059733.tif 000017
【図１６】
2010059733.tif 000018
【図１７】
2010059733.tif 000019
【図１８】
2010059733.tif 000020
【図１９】
2010059733.tif 000021
【図２０】
2010059733.tif 000022
【図２１】
2010059733.tif 000023
【図２２】
2010059733.tif 000024
【図２３】
2010059733.tif 000025
【図２４】
2010059733.tif 000026
【図２５】
2010059733.tif 000027
【図２６】
2010059733.tif 000028
【図２７】
2010059733.tif 000029
【図２８】
2010059733.tif 000030
【図２９】
2010059733.tif 000031
【図３０】
2010059733.tif 000032
【図３１】
2010059733.tif 000033
【図３２】
2010059733.tif 000034